(57)【要約】【課題】複写機等の画像読取装置において、熱せられた空気をより効率よく装置外に排出することのできる技術を提供する。【解決手段】画像読取部４を収容する本体ハウジング３０の上方に原稿搬送装置２が配置された複写機において、本体ハウジング３０はその上面に通気口３０１ａ・３０１ｂを備える。そして、原稿搬送装置２のハウジング２０はその下面に、通気口３０１ａ・３０１ｂのそれぞれと対向する吸気口２０１ａ・２０１ｂを備え、さらに、吸気口２０１ａ・２０１ｂのそれぞれと通気状態にある排気口２０２ａ・２０２ｂを備える。そして、吸気口２０１ａと排気口２０２ａとの間、吸気口２０１ｂと排気口２０２ｂとの間に、ファン６１ａ・６１ｂがそれぞれ設けられることで、本体ハウジング３０内で熱せられ、上昇した空気が、ファン６１ａ・６１ｂによって、排気口２０２ａ・２０２ｂから排出される。【選択図】図２
2009229984.tif 000002
【特許請求の範囲】
【請求項１】
上面に通気口を備える第１ハウジングと、
上記第１ハウジング内に配され、原稿上の画像を読み取る読取部と、
上記通気口と通気可能に配された吸気口を底面に有し、上記吸気口と通気可能に配された排気口を有すると共に、上記第１ハウジング上方に配される第２ハウジングと、
上記第２ハウジング内に配され、上記原稿を上記読取部に対して移動させる原稿搬送部と、
上記第２ハウジング内に、上記吸気口から上記排気口へ向かう空気の流れを作るように配される送風機と、
を備える画像読取装置。
【請求項２】
上記送風機は、上記吸気口と上記排気口との間に配される、
請求項１に記載の画像読取装置。
【請求項３】
上記第２ハウジング内に配された発熱体をさらに備え、
上記送風機は、上記発熱体から上記排気口に向かう空気の流れを作るように配される、
請求項１又は２に記載の画像読取装置。
【請求項４】
上記発熱体は、上記原稿搬送部によって搬送中の原稿に対向するように配されたイメージセンサである、
請求項３に記載の画像読取装置。
【請求項５】
上記第１ハウジング内の温度を検出する温度検出部と、
上記温度検出部の検出温度が所定値を超えると上記送風機を稼動させる送風開始部と、
をさらに備える、
請求項１〜４のいずれか１項に記載の画像読取装置。
【請求項６】
上記第１ハウジング内に配された発熱体と、
上記発熱体が通電状態となると上記送風機を稼動させる送風開始部と、
をさらに備える、
請求項１〜４のいずれか１項に記載の画像読取装置。
【請求項７】
上記第１ハウジング内の温度を検出する温度検出部と、
上記温度検出部の検出温度が所定値以下となると上記送風機の動作を停止させる送風停止部と、
をさらに備える、
請求項１〜６のいずれか１項に記載の画像読取装置。
【請求項８】
上記第１ハウジング内に配された発熱体と、
上記発熱体が非通電状態となると上記送風機の動作を停止させる送風停止部と、
をさらに備える、
請求項１〜６のいずれか１項に記載の画像読取装置。
【請求項９】
上記第１ハウジング内の温度を検出する温度検出部と、
上記第１ハウジング内に配された発熱体と、
上記温度検出部の検出温度が所定値を超え、かつ上記発熱体が通電状態となると上記送風機を稼動させ、上記発熱体が非通電状態となると上記送風機の動作を停止させる送風制御部と、
をさらに備える、
請求項１〜４のいずれか１項に記載の画像読取装置。
【請求項１０】
上記発熱体は、原稿を照明するように配された光源である、
請求項６、８、又は９のいずれか１項に記載の画像読取装置。
【請求項１１】
上記第２ハウジングは、上記吸気口が上記通気口と通気状態となる第１姿勢と、上記吸気口が上記通気口と非通気状態となる第２姿勢と、を取ることができるように、上記第１ハウジングに対して移動可能に連結されており、
上記通気口を開閉する開閉部と、
上記第２姿勢にあるときに上記通気口を閉じるよう上記開閉部を制御する開閉制御部と、
をさらに備える、
請求項１〜１０のいずれか１項に記載の画像読取装置。
【請求項１２】
上面に通気口を備える第１ハウジングと、
上記第１ハウジング内に配され、原稿上の画像を読み取る読取部と、
上記第１ハウジング内に配され、記録媒体上に画像を形成する画像形成部と、
上記通気口と通気可能に配された吸気口を底面に有し、上記吸気口と通気可能に配された排気口を有すると共に、上記第１ハウジング上方に配される第２ハウジングと、
上記第２ハウジング内に配され、上記原稿を上記読取部に対して移動させる原稿搬送部と、
上記第２ハウジング内に、上記吸気口から上記排気口へ向かう空気の流れを作るように配される送風機と、
を備える画像形成装置。
【発明の詳細な説明】
【技術分野】
【０００１】
本発明は、原稿上の画像を読み取る画像読取装置、及びそれを備える画像形成装置に関する。
【背景技術】
【０００２】
画像読取装置において、原稿を照明する光源等の発熱部材を備えるために、種々の提案がなされている。
【０００３】
例えば、特許文献１には、本体とこの本体の上部に配置された原稿送り装置とを備える複写機が記載されている。この複写機の本体は、原稿を照明するランプを備える露光装置を備えると共に、露光装置を冷却するために、露光装置に向けて空気を吹き付ける冷却用ブロアを備える。また、この複写機は、本体内のエアガイド及び本体上面に設けられた開口によって、原稿が通過する露光ガラスや、原稿送り装置の原稿ガイド板等にも、冷却用ブロアから噴出される空気の一部を案内することができる。
【特許文献１】特開平3-226776号公報
【発明の開示】
【発明が解決しようとする課題】
【０００４】
従来の技術では、熱せられた空気の装置内から装置外への排出効率が充分でなく、改良の余地があった。
【０００５】
本発明は、上記従来の問題に鑑みたものであり、その目的は、熱せられた空気を装置外に排出する新たな技術を提供することにある。
【課題を解決するための手段】
【０００６】
上記課題を解決するために、請求項１の画像読取装置は、上面に通気口を備える第１ハウジングと、上記第１ハウジング内に配され、原稿上の画像を読み取る読取部と、上記通気口と通気可能に配された吸気口を底面に有し、上記吸気口と通気可能に配された排気口を有すると共に、上記第１ハウジング上方に配される第２ハウジングと、上記第２ハウジング内に配され、上記原稿を上記読取部に対して移動させる原稿搬送部と、上記第２ハウジング内に配され、上記吸気口から上記排気口へと空気を送る送風機と、を備える。
【０００７】
熱せられた空気は上昇するので、この画像読取装置の構成によると、第１ハウジング内で熱せられた空気は、第１ハウジングの上面に設けられた通気口、及びこの通気口と通気可能な第２ハウジングの吸気口に向かって流れる。そして、送風機により、吸気口から排気口へと向かう空気の流れが生じるので、この流れによって第１ハウジング内の熱い空気は最終的に第２ハウジング外に排出される。このように、熱せられて第１ハウジングから上昇する空気を、第１ハウジング上方に設けられた送風機によって排出することで、熱せられた空気を第１ハウジング内から効率よく排出することができる。
【０００８】
請求項２に記載するように、請求項１の画像読取装置において、上記送風機は、上記吸気口と上記排気口との間に配されることが好ましい。
【０００９】
この構成によれば、吸気口を通って第２ハウジング内に移動した熱い空気が、送風機により生じた空気の流れによって、排出口側に引き込まれる。そのため、熱い空気の流れる方向を、排出口側に向けて制御しやすいという利点がある。
【００１０】
また、請求項３に記載するように、請求項１又は２の画像読取装置は、上記第２ハウジング内に配された発熱体をさらに備え、上記送風機は、上記発熱体から上記排気口に向かう空気の流れを作るように配されてもよい。
【００１１】
この構成によれば、発熱体により熱せられた第２ハウジング内の空気が、この送風機によって排出される。
【００１２】
また、請求項４に記載するように、請求項３の発熱体は、原稿搬送部によって搬送中の原稿に対向するように配されたイメージセンサであってもよい。
【００１３】
また、請求項５に記載するように、請求項１〜４のいずれかの画像読取装置は、上記第１ハウジング内の温度を検出する温度検出部と、上記温度検出部の検出温度が所定値を超えると上記送風機を稼動させる送風開始部と、をさらに備えてもよい。
【００１４】
また、請求項６に記載するように、請求項１〜４のいずれかの画像読取装置は、上記第１ハウジング内に配された発熱体と、上記発熱体が通電状態となると上記送風機を稼動させる送風開始部と、をさらに備えてもよい。
【００１５】
また、請求項７に記載するように、請求項１〜６のいずれかの画像読取装置は、上記第１ハウジング内の温度を検出する温度検出部と、上記温度検出部の検出温度が所定値以下となると上記送風機の動作を停止させる送風停止部と、をさらに備えてもよい。
【００１６】
また、請求項８に記載するように、請求項１〜６のいずれかの画像読取装置は、上記第１ハウジング内に配された発熱体と、上記発熱体が非通電状態となると上記送風機の動作を停止させる送風停止部と、をさらに備えてもよい。
【００１７】
また、請求項９に記載するように、請求項１〜４のいずれかの画像読取装置は、上記第１ハウジング内の温度を検出する温度検出部と、上記第１ハウジング内に配された発熱体と、上記温度検出部の検出温度が所定値を超え、かつ上記発熱体が通電状態となると上記送風機を稼動させ、上記発熱体が非通電状態となると上記送風機を停止させる送風制御部と、をさらに備えてもよい。
【００１８】
このように、温度の上昇及び／又は発熱体の通電に応じて送風機を稼動させることで、排気に用いる電力を低減することができる。
【００１９】
請求項１０に記載するように、発熱体は光源であってもよい。
【００２０】
また、請求項１１に記載するように、請求項１〜１０のいずれかの読取装置において、上記第２ハウジングは、上記吸気口が上記通気口と通気状態となる第１姿勢と、上記吸気口が上記通気口と非通気状態となる第２姿勢と、を取ることができるように、上記第１ハウジングに対して移動可能に連結されていてもよい。この場合、読取装置は、上記通気口を開閉する開閉部と、上記第２姿勢にあるときに上記通気口を閉じるよう上記開閉部を制御する開閉制御部と、をさらに備えることが好ましい。
【００２１】
この構成によると、通気口を介して第１ハウジング内に埃等の微細な異物が入ることを防ぐことができる。
【００２２】
請求項１１に記載するように、上記課題は、上面に通気口を備える第１ハウジングと、上記第１ハウジング内に配され、原稿上の画像を読み取る読取部と、上記第１ハウジング内に配され、記録媒体上に画像を形成する画像形成部と、上記通気口と通気可能に配された吸気口を底面に有し、上記吸気口と通気可能に配された排気口を有すると共に、上記第１ハウジング上方に配される第２ハウジングと、上記第２ハウジング内に配され、上記原稿を上記読取部に対して移動させる原稿搬送部と、上記第２ハウジング内に、上記吸気口から上記排気口へ向かう空気の流れを作るように配される送風機と、を備える画像形成装置によっても解決可能である。
【発明の効果】
【００２３】
本発明の画像読取装置によると、第１ハウジング内で熱せられて上昇した空気を、第１ハウジング上方に配された第２ハウジング内の送風機によって、装置外部に排出することができる。よって、熱せられた空気の排出効率を向上させることができる。
【発明を実施するための最良の形態】
【００２４】
〔１〕第１実施形態
本発明の実施の一形態について、図面を参照して以下に説明する。
【００２５】
＜１．複写機１の概要＞
図１は本実施形態の複写機１の外観を示す斜視図である。
【００２６】
図１に示すように、複写機１は、原稿（図２等に原稿Ｍとして示す）を搬送する原稿搬送装置２と、本体部３とを備える。
【００２７】
原稿搬送装置２は、原稿Ｍを後述の画像読取部４に対して移動させる装置である。原稿搬送装置２は、搬送ハウジング２０、搬送ハウジング２０の外側に設けられた原稿載置トレイ２１及び原稿排出トレイ２３、並びに、搬送ハウジング２０内に設けられた原稿搬送部２２等を備える。
【００２８】
本体部３は、略直方体の本体ハウジング３０を備え、本体ハウジング３０内に、原稿Ｍ上の画像を読み取って画像データを取得する画像読取部４、画像データに基づいて用紙上に画像を印刷する画像形成部５、用紙を載置するための手差しトレイ３１、用紙を収容する用紙カセット３２、画像形成後の用紙が排出される用紙排出トレイ３３、ユーザからの指示を受け付けたりユーザに種々の情報を提示したりする操作パネル３４等を備える。また、本体３は、原稿搬送装置２に対向する面に、第１プラテンガラス３５、及び第２プラテンガラス３６を備える。
【００２９】
搬送ハウジング２０は、第１プラテンガラス３５及び第２プラテンガラス３６を覆うことのできる形状であり、第１プラテンガラス３５上に原稿を押し付ける原稿押さえとしても機能する。
【００３０】
＜２．原稿搬送装置２＞
原稿搬送装置２の詳細について、図２を参照して説明する。図２は、原稿搬送装置２及び画像読取部４、並びに画像読取部４の周囲の構成を示す正面図である。
【００３１】
図２に示すように、原稿搬送装置２は、上述の部材に加えて、ＣＩＳ（Contact Image Sensor）２４をさらに備える。
【００３２】
ＣＩＳ２４は、原稿搬送部２２による原稿Ｍの搬送経路上に配置され、搬送中の原稿Ｍの裏面に対向するように設けられる。
【００３３】
また、上述の原稿搬送部２２は、複数のローラからなる原稿搬送ローラ群２２ａと、原稿押圧部２２ｂと、を備える。原稿搬送ローラ群２２ａは、回転することで、原稿載置トレイ２１上に載置された原稿Ｍを一枚ずつ引き出し、第２プラテンガラス３６上を経て原稿排出トレイ２３へと排出する。原稿押圧部２２ｂは、画像読取部４が第２プラテンガラス３６を介して原稿Ｍの一方の面（以下、表面と称する）から画像を読み取れるように、原稿搬送ローラ群２２ａによって搬送される原稿Ｍを第２プラテンガラス３６に押し付ける。
【００３４】
＜３．画像読取部４＞
画像読取部４の詳細について、図２を参照して説明する。
【００３５】
図２に示すように、画像読取部４は、本体ハウジング３０内で第１プラテンガラス３５の近傍に配される。画像読取部４は、第１プラテンガラス３５と平行になるように配されたレール４１、レール４１上を矢印方向に移動可能なキャリッジ４２、キャリッジ４２を移動させるキャリッジ駆動部（図示せず）、及びインバータ４８等を備える。キャリッジ駆動部はモータ及びギア等を備える。レール４１に垂直かつ第１プラテンガラス３５に平行な方向を主走査方向、レール４１に平行な方向を副走査方向と呼ぶ。
【００３６】
キャリッジ４２内の構成について、図３を参照してより具体的に説明する。図３は画像読取部４の副走査方向に平行な平面における、キャリッジ４２の断面図である。
【００３７】
図３に示すように、画像読取部４は、キャリッジ４２内に、光源ユニット４３、ミラー群４４、集光レンズ４６、及びＣＣＤ（Charge Coupled Device）イメージセンサ４７等を備える。
【００３８】
光源ユニット４３は、主走査方向に沿って複数の光源が並べられた構成となっている。光源としては、ＬＥＤ、キセノンランプ等の各種ランプを用いることができる。
光源ユニット４３がオンとなると、第１プラテンガラス３５及び第２プラテンガラス３６を介して、原稿Ｍの表面に光が照射される。
【００３９】
ミラー群４４は、ミラー４４ａ〜４４ｃ等の複数のミラーを備える。各ミラー４４ａ〜４４ｂにより、原稿Ｍからの反射光は順次反射され、集光レンズ４６に導かれる。この反射光は、集光レンズ４６によってＣＣＤ４７に集められる。ＣＣＤ４７は、受けた光をアナログの電気信号に変換する。なお、ＣＣＤ４７はイメージセンサの一例に過ぎず、ＣＭＯＳイメージセンサ等の他のイメージセンサに置換可能である。
【００４０】
第１プラテンガラス３５上に載置された原稿の画像を読み取るときは、キャリッジ４２がキャリッジ駆動部によって副走査方向に移動されて、原稿Ｍの全面が走査される。
【００４１】
また、原稿搬送装置２２で搬送される原稿の表面の画像を読み取るときは、キャリッジ４２はキャリッジ駆動部によって第２プラテンガラス３６に対向する位置（図中に静止位置Ｐ１として示す）に移動される。この静止位置Ｐ１でキャリッジ４２が静止している間に上述の原稿搬送部２２によって原稿Ｍがキャリッジ４２に対して移動されることによって、副走査方向における走査が行われる。
【００４２】
画像の非読み取り時には、キャリッジ４２は、副走査方向における第１プラテンガラス３５の一端の近傍で静止した待機状態となる。待機状態におけるキャリッジ４２の位置を、待機位置Ｐ２として図中に示す。
【００４３】
＜４．排気機構＞
図２及び図４を参照して、本体ハウジング３０及び搬送ハウジング２０の排気機構（６１ａ・６１ｂ等）の機構について説明する。図４は、本体ハウジング３０の上面図である。
【００４４】
図２及び図４に示すように、本体ハウジング３０は、その上面に、より具体的にはその上面の搬送ハウジング２０と対向する領域に、２つの通気口３０１ａ・３０１ｂを備える。通気口３０１ａは、本体ハウジング３０の内部（画像読取部４が設けられている空間）から、本体ハウジング３０の外部まで通じている。
【００４５】
図４に示すように、通気口３０１ａ・３０１ｂは、主走査方向において長い、長方形状である。一方の通気口３０１ａは副走査方向において第２プラテンガラス３６より外側に配置され、他方の通気口３０１ｂは、主走査方向において第１プラテンガラス３５よりも外側に配される。つまり、通気口３０１ａ・３０１ｂは、副走査方向における本体ハウジング３０の両端にそれぞれ設けられる。また、図４に示すように、通気口３０１ａ・３０１ｂは、複数の小孔３０３が集合してなる。
【００４６】
さらに具体的には、図２に示すように、一方の通気口３０１ａは、インバータ４８の上方に配置される。インバータ４８は、静止位置Ｐ１の近傍に配されるので、通気口３０１ａは、静止位置Ｐ１の上方に配されるともいえる。また、他方の通気口３０１ｂは、画像の非読取時のキャリッジ４２の位置である待機位置Ｐ２の上方に配置される。ここで、通気口３０１ａ・３０１ｂの配置位置について、「上方」とは、垂直方向だけでなく、斜め上方向も含む。
【００４７】
一方、搬送ハウジング２０は、図２に示すように、吸気口２０１ａ・２０１ｂ、排気口２０２ａ・２０２ｂを備える。
【００４８】
吸気口２０１ａ・２０１ｂは、搬送ハウジング２０の下面に、搬送ハウジング２０が閉姿勢をとるときに、それぞれ、通気口３０１ａ・３０１ｂに対向するように配される。閉姿勢とは、搬送ハウジング２０の下面が本体ハウジング３０の上面に重なる姿勢（閉姿勢）である。搬送ハウジング２０の開閉については後述する。
【００４９】
排気口２０２ａ・２０２ｂは、搬送ハウジング２０の側面に設けられる。吸気口２０１ａと排気口２０２ａとは、搬送ハウジング２０内の同一の空間に通じるように配される。吸気口２０１ｂと排気口２０２ｂについても同様である。つまり、吸気口２０１ａと排気口２０２ａとの間、及び、吸気口２０１ｂと排気口２０２ｂとの間は、通気状態となっている。
【００５０】
第１ファン６１ａ及び第２ファン６１ｂは、送風機の一例である。第１ファン６１ａ及び第２ファン６１ｂは、搬送ハウジング２０内に配置され、それぞれ、吸気口２０１ａと排気口２０２ａとの間、及び吸気口２０１ｂと排気口２０２ｂとの間に配される。第１ファン６１ａは、空気の吸い込み側を吸気口２０１ａに、吐き出し側を排気口２０２ａに向けるように配される。同様に、第２ファン６１ｂも、空気の吸い込み側を吸気口２０１ｂに、吐き出し側を排気口２０２ｂに向けて配される。
【００５１】
エアガイド６２は、ＣＩＳ２４から第１ファン６１ａへと空気を導くように配置される。
【００５２】
次に、図２を参照して、上述の機構による排気について説明する。
【００５３】
本体ハウジング３０内に配置された種々の部材の中には、熱を発する発熱体が含まれる。発熱体としては、インバータ４８、並びにキャリッジ４２内の光源４３及びＣＣＤ４７等が挙げられる。
【００５４】
図２中に波型の白矢印で示すように、これらの発熱体によって熱せられた空気は、本体ハウジング３０内を上昇する。そして、この熱せられた空気は、通気口３０１ａから、この通気口３０１ａに対向する吸気口２０１ａを通って、搬送ハウジング２０内に移動する。第１ファン６１ａが稼動することで、この空気はさらに排気口２０２ａを通って搬送ハウジング２０外、つまり複写機１外に排出される（図２の白矢印）。同様に、他方の通気口３０１ｂからも、吸気口２０１ｂを通って搬送ハウジング２０内へ、熱せられた空気が移動し、この空気は、第２ファン６１ｂの稼動により排気口２０２ｂを通って搬送ハウジング２０外に排出される。こうして、本体ハウジング３０内の熱い空気が、装置外に排出される（図２の白矢印）。
【００５５】
このように、本実施形態では、通気口３０１ａ・３０１ｂ、吸気口２０１ａ・２０１ｂ、排気口２０２ａ・２０２ｂ、及びファン６１ａ・６１ｂが、発熱体の上方、すなわち発熱体によって熱せられた空気が自ら移動する方向に設けられているので、熱い空気を効率よく排出することができる。
【００５６】
また、熱せられた空気が通気口３０１ａ・３０１ｂを通って上昇するので、埃等の微小な異物が通気口３０１ａ・３０１ｂから本体ハウジング３０内に入り込みにくい。
【００５７】
さらに発熱体に空気を吹き付けるよりも、本実施形態のように、発熱体によって熱せられた空気をファンによって吸い上げる方が、空気の進行方向をより正確に制御することができる。そのため、熱い空気を不要に他の部材に吹き付けることなく、装置外に排出することができる。
【００５８】
また、本実施形態では、２つの通気口３０１ａ・３０１ｂが、発熱体の１つであるインバータ４８、並びに発熱体を収容するキャリッジ４２が停止する位置Ｐ１・Ｐ２の近傍に、それぞれ配置されている。このように発熱体毎に通気口が設けられていることで、熱い空気をより効率よく排出することができる。
【００５９】
さらに、上述のエアガイド６２が設けられていることで、本体ハウジング３０内の空気及びＣＩＳ２４によって熱せられた搬送ハウジング２０内の空気を、第１ファン６１ａによって排出することができる。このように、第１ファン６１ａは、本体ハウジング３０及び搬送ハウジング２０の両方の排気を実現することができる。
【００６０】
＜５．シャッタ３８＞
また、複写機１は、本体ハウジング３０内に、シャッタ３８を備える。図５に、一方の通気口３０１ａに対して設けられたシャッタ３８を示す。他方の通気口３０１ｂにも同様のシャッタ３８が設けられる。
【００６１】
図５に示すように、シャッタ３８は、通気口３０１ａ全体を覆うことのできる形状であり、後述のシャッタ駆動部３８１によって、画像読取部４の副走査方向に移動可能である。このように移動されることで、通気口３０１ａは、塞がれたり、開放されたりする。
【００６２】
＜５．搬送ハウジング２０の開閉＞
搬送ハウジング２０の本体ハウジング３０への固定について、図６を参照して説明する。図６に示すように、搬送ハウジング２０には回転軸２６が固定されており、回転軸２６は、Ｌ字部材２７の一端に、回転可能に固定されている。Ｌ字部材２７は、本体ハウジング３０に固定されている。
【００６３】
搬送ハウジング２０は、本体ハウジング３０にこのように固定されていることで、回転軸２６を中心に回転することができる。搬送ハウジング２０の下面は、この回転によって本体ハウジング３０の上面に対して開閉可能となっている。
【００６４】
従って、搬送ハウジング２０が閉状態（第１姿勢）となっているときは、吸気口２０１ａ・２０１ｂがそれぞれ、通気口３０１ａ・３０１ｂと対向するので、通気口３０１ａ・３０１ｂから吸気口２０１ａ・２０１ｂのそれぞれへ、空気が移動可能である。一方、搬送ハウジング２０が開状態（第２姿勢）であるときは、吸気口２０１ａ・２０１ｂは、通気口３０１ａ・３０１ｂと通気可能な位置から外れる。
【００６５】
図６に示すように、本体ハウジング３０には、本体ハウジング３０上面から突出するようにボタン３９が配される。ボタン３９は、搬送ハウジング２０が閉まることで押下され、開くことで押下が解除される。ボタン３９は、後述の開閉センサ３９１に接続されている。
【００６６】
＜６．画像形成部５＞
図７を参照して、画像形成部５について簡単に説明する。図７は画像形成部５の要部構成を示す正面図である。
【００６７】
図７に示すように、画像形成部５は、回転可能に設けられた円柱状の感光体ドラム１０を備えると共に、感光体ドラム１０の回転方向（図５中に矢印で示す）に沿って、感光体ドラム１０を一様に帯電させる帯電装置１１、帯電した感光体ドラム１０に光を照射することで感光体ドラム１０上に静電潜像を描く露光装置１２、静電潜像を現像剤で現像してトナー像を形成する現像装置１３、トナー像が用紙に転写された後に感光体ドラム１０を除電する除電装置１４、及び、転写後も感光体ドラム１０上に残るトナーを除去するクリーニング装置１５等を備える。なお、複写機１は、複数の画像形成部５、特に複数の現像装置１３を備える構成であってもよい。また、本実施形態では、現像剤としてトナーとキャリアとを含む２成分現像剤を用いるが、これ以外にも、１成分及びその他の現像剤を適宜用いることができる。
【００６８】
画像形成部５は、さらに、感光体ドラム１０上のトナー像を用紙へ転写する転写部５１、転写後の用紙に熱圧着によりトナー像を定着させる定着装置５２、並びに、手差しトレイ３１又は用紙カセット３２から転写部５１及び定着装置５２を経て用紙排出トレイ３３に至るまで、用紙を搬送する用紙搬送部５３を備える。なお、転写部５１は、感光体ドラム１０の回転方向において、現像装置１３より下流、かつ除電装置１４より上流に配置される。
【００６９】
＜７．制御系＞
図８のブロック図を参照して、複写機１の制御系について説明する。以下では特に、機内の空気の排出に関連する機能部について説明する。
【００７０】
図８に示すように、複写機１は、光源駆動部４３１、シャッタ駆動部３８１、温度計６３、開閉センサ３９１、及び制御装置１００等をさらに備える。
【００７１】
光源駆動部４３１は、光源４３を駆動して光を出射させる。
【００７２】
シャッタ駆動部３８１は、シャッタ３８を通気口３０１ａ・３０１ｂに対して移動させる。
【００７３】
温度計６３は、本体ハウジング３０内で、静止位置Ｐ１の近傍に配置される（図２を併せて参照）。
【００７４】
開閉センサ３９１は、上述のボタン３９の押下によって、搬送ハウジング２０の開閉を検知する。
【００７５】
制御装置１００は、読取制御部１０１、排気制御部１０２、シャッタ制御部１０３等を備える。
【００７６】
読取制御部１０１は、光源駆動部４３１を始めとする画像読取部４の各部の動作を制御する。
【００７７】
排気制御部１０２は、温度計６３から受け取った本体ハウジング３０内の気温の検出結果、及び読取制御部１０１から受け取った光源４３のオン／オフ情報に基づいて、第１ファン６１ａ及び第２ファン６１ｂのオン／オフを制御する。つまり、排気制御部１０２は、ファン６１ａ・６１ｂによる送風を開始、又は停止させる送風制御部として機能する。
【００７８】
具体的には、排気制御部１０２は、搬送ハウジング２０が本体ハウジング３０に対して閉状態であるときに、図９に示すフローチャートに沿った制御を行う。すなわち、排気制御部１０２は、温度計６３の検出結果が所定温度を超え（ステップＳ１でＹｅｓ）、かつ光源４３が点灯中であれば（ステップＳ２でＹｅｓ）、第１ファン６１ａ及び第２ファン６１ｂを稼動させる（ステップＳ３）。各ファンが稼動することによる空気の排出については、図２を参照して上述した通りである。
【００７９】
また、排気製著部１０２は、光源４３が消灯すると（ステップＳ４でＹｅｓ）、第１ファン６１ａ及び第２ファン６１ｂを停止させる（ステップＳ５）。
【００８０】
この構成によると、機内の温度が所定温度を超え、かつ光源４３が点灯している間のみファンが稼動されるので、排気に要する電力を低減することができる。
【００８１】
シャッタ制御部１０３は、開閉センサ３９１の出力が、搬送ハウジング２０が開状態にあることを示すときには、シャッタ駆動部３８１を制御して、通気口３０１ａ・３０１ｂを閉鎖する。そして、シャッタ制御部１０３は、開閉センサ３９１の出力が、搬送ハウジング２０が閉状態にあることを示すときには、シャッタ駆動部３８１を制御して、通気口３０１ａ・３０１ｂを開放する。
【００８２】
この構成によると、搬送ハウジング２０が通気口３０１ａ・３０１ｂから離れているときも、シャッタ３８によって通気口３０１ａ・３０１ｂが閉鎖されるので、異物が本体ハウジング３０内に入りにくいという利点がある。
【００８３】
なお、制御装置１００は、ＣＰＵ（Central Processing Unit）、ＲＯＭ（Read Only Memory）、ＲＡＭ（Random Access Memory）、及びその他記憶媒体によって構成可能である。ＲＯＭは、図９に示す制御についての制御プログラム等の種々のプログラムを格納し、ＣＰＵは、ＲＯＭ内のプログラムを読み出して実行可能である。ＲＡＭは、ＣＰＵの作業領域として機能する。ＲＯＭ内のプログラムを読み出すことによって、ＣＰＵは、制御装置１００内の各機能部（１０１、１０２、１０３）として機能することができる。
【００８４】
〔２〕その他の実施形態
（１）第１実施形態の複写機１において、ＣＩＳ２４及びＣＣＤ４７に代えて、他のイメージセンサを用いてもよい。
【００８５】
（２）図９のフローにおいて、ステップＳ１又はステップＳ２のいずれか一方は省略可能である。すなわち、排気制御部１０２は、ステップＳ１又はステップＳ２のいずれか一方が“Ｙｅｓ”となったときに、ステップＳ３に進んでファン６１ａ・６１ｂをオンとするようになっていてもよい。
【００８６】
（３）排気制御部１０２は、ファン６１ａ・６１ｂを停止させるか否かを、温度計６３の検出結果に基づいて判断することもできる。つまり、排気制御部１０２は、図９のステップＳ４に代えて、“温度計６３の検出結果が所定温度以下となった？”との判断を行い、この判断が“Ｙｅｓ”であれば、ステップＳ５に進んでファン６１ａ・６１ｂをオフとするようになっていてもよい。
【００８７】
また、排気制御部１０２は、温度計６３の検出結果が所定温度以下となり、かつ光源４３が消灯したときに、ステップＳ５に進むようになっていてもよい。
【００８８】
（４）図９のステップＳ２及びＳ４において、光源４３は発熱体の一例に過ぎない。すなわち、排気制御部１０２は、ステップＳ２に代えて、光源４３以外の発熱体（例えばＣＩＳ、ＣＣＤ等）が通電状態であるかどうかを判断し、通電状態であると判断すれば、ステップＳ３に進むようになっていてもよい。
【００８９】
また、排気制御部１０２は、ステップＳ４に代えて、光源４３以外の発熱体がオフとされたとき、つまりこの発熱体への電力供給が停止されたときに、ステップＳ５に進むようになっていてもよい。
【００９０】
（５）排気制御部１０２は、２つのファン６１ａ・６１ｂを別々に制御するようになっていてもよい。
【００９１】
すなわち、排気制御部１０２は、キャリッジ４２が静止位置Ｐ１にあり、かつ光源４３が点灯しているときは第１ファン６１ａのみを稼動させ、一方、キャリッジ４２が待機位置Ｐ２にあり、かつ光源４３が点灯しているときは第２ファン６１ｂのみを稼動させるようになっていてもよい。
【００９２】
また、他の例として、静止位置Ｐ１の近傍の温度計６３の他に、本体ハウジング３０内で待機位置Ｐ２の近傍にも温度計が設けられている場合、排気制御部１０２は、それぞれの温度計の検出結果に基づいて、各ファンを別々にオン／オフするようになっていてもよい。つまり、静止位置Ｐ１近傍の温度計の検出結果のみが所定温度を超えた場合は、第１ファン６１ａのみを稼動させ、待機位置Ｐ２の近傍の温度計の検出結果のみが所定温度を超えた場合は、第２ファン６１ｂのみを稼動させることも可能である。
【００９３】
さらに、搬送ハウジング２０内の温度を検出可能な温度計を設け、この温度計の検出結果が処置温度を超えたときに、第１ファン６１ａが稼動されてもよい。
【００９４】
（６）第１実施形態では、発熱体として、インバータ４８、光源４３等にしか言及しなかったが、発熱体はこれに限定されるものではない。さらに、発熱体は画像読取部４内の部材にも限定されず、画像形成部５内の部材（定着装置５２等）であってもよい。
【００９５】
（７）第１実施形態では、光源４３及びＣＣＤ４７がキャリッジ４２によって移動されるものとしたが、これらの部材は固定されていてもよい。例えば、複数のミラー等の光学部材をキャリッジによって移動させることによっても、副走査方向の走査は可能である。
【００９６】
（８）エアガイド６２は、ＣＩＳ２４以外にも、図示しない光源から第１ファン６１ａまで空気を導くように設けられてもよい。つまり、搬送ハウジング２０内の発熱体も、ＣＩＳ２４に限定されるものではない。この光源は、搬送中の原稿Ｍを照明するように設けられ、ＣＩＳ２４で画像を読み取るために原稿Ｍを照明することができる。
【００９７】
（９）第１実施形態のシャッタ３８に代えて、通気口３０１ａ・３０１ｂを開閉可能な他の開閉部を用いてもよい。他の開閉部としては、例えば、回転可能に設けられた複数のスラットが用いられる。この場合、開閉部は、スラットを回転させる駆動部をさらに備え、このスラットを回転させることで、スラット同士を重ね合わせて通気口３０１ａ・３０１ｂを閉鎖したり、スラット間に隙間を生じさせることで通気口３０１ａ・３０１ｂを開放したりすることができる。
【００９８】
（１０）第１実施形態では、複写機１は、通気口、吸気口、排気口、及びファンを、２組備えるものとした。しかし、発熱体が設けられた箇所に応じて、通気口等の数は適宜増減可能である。
【００９９】
（１１）本発明は、複写機だけでなく、画像形成機能を備えない画像読取装置や、複写のみでなく、プリンタ及びファクシミリ等の機能を備えた複合機に適用することもできる。
【０１００】
（１２）以上、異なる欄に述べた構成を組み合わせることも可能である。
【図面の簡単な説明】
【０１０１】
【図１】本発明の実施形態に係る複写機１の外観を示す斜視図。
【図２】複写機１の一部、特に原稿搬送装置２及び画像読取部４の要部構成を示す正面図。
【図３】画像読取部４の副走査方向に平行な平面における、キャリッジ４２の断面図。
【図４】本体ハウジング３０の上面図。
【図５】シャッタ３８による通気口の開閉を示す断面図。
【図６】複写機１の側面図。
【図７】画像形成部５の要部構成を示す正面図。
【図８】複写機１の制御系を示すブロック図。
【図９】排気制御の流れを示すフローチャート。
【符号の説明】
【０１０２】
１    複合機
２    原稿搬送装置
２０  搬送ハウジング
２０１ａ、２０１ｂ  吸気口
２０２ａ、２０２ｂ  排気口
２１  原稿載置トレイ
２２  原稿搬送部
２３  原稿排出トレイ
２４  ＣＩＳ
３    本体部
３０  本体ハウジング
３０１ａ、３０１ｂ  通気口
３５  第１プラテンガラス
３６  第２プラテンガラス
３８  シャッタ
３８１  シャッタ駆動部
３９  ボタン
３９１  開閉センサ
４    画像読取部
４２  キャリッジ
４３  光源
４３１  光源駆動部
４７  ＣＣＤ
４８  インバータ
Ｐ２  待機位置
Ｐ１  静止位置
５    画像形成部
６１ａ  第１ファン
６２ａ  第２ファン
６３    温度計
１００  制御装置
１０１  読取制御部１０１
１０２  排気制御部
１０３  シャッタ制御部
【図１】
2009229984.tif 000003
【図２】
2009229984.tif 000004
【図３】
2009229984.tif 000005
【図４】
2009229984.tif 000006
【図５】
2009229984.tif 000007
【図６】
2009229984.tif 000008
【図７】
2009229984.tif 000009
【図８】
2009229984.tif 000010
【図９】
2009229984.tif 000011